(57)【要約】【課題】無線通信装置単独でＡＰとの無線接続を確立できないようにする。【解決手段】子機（２００）は、アクセスポイント（１００）と子機（２００）との無線通信を可能にするための鍵情報を記憶する不揮発メモリ（２０）と、ドングル（２０１）から取得情報を取得する鍵情報取得部（１１）と、鍵情報取得部（１１）が取得した取得情報が、不揮発メモリ（２０）から読み出した鍵情報と一致するか否かを判定する判定部（１２）と、取得情報が鍵情報と一致すると判定された場合に、アクセスポイント（１００）と子機（２００）との無線通信の接続を確立する無線接続処理部（１４）と、を備える。【選択図】図１
2017183941.tif 000002
【特許請求の範囲】
【請求項１】
ネットワーク上のアクセスポイントと無線通信が可能な無線通信装置であって、
上記アクセスポイントと上記無線通信装置との無線通信を可能にするための鍵情報を記憶する記憶部と、
第１情報提供装置から取得情報を取得する第１情報取得部と、
上記第１情報取得部が取得した取得情報が、上記記憶部から読み出した上記鍵情報と一致するか否かを判定する判定部と、
上記取得情報が上記鍵情報と一致すると判定された場合に、上記アクセスポイントと上記無線通信装置との無線通信の接続を確立する接続処理部と、を備えていることを特徴とする無線通信装置。
【請求項２】
上記第１情報提供装置が接続される接続部を備え、
上記第１情報取得部は、上記接続部に上記第１情報提供装置が接続された場合に、上記第１情報提供装置から上記取得情報を取得することを特徴とする請求項１に記載の無線通信装置。
【請求項３】
上記第１情報提供装置は、上記取得情報を無線送信する機能を備え、
上記第１情報取得部は、上記取得情報を受信することで、上記第１情報提供装置から上記取得情報を取得することを特徴とする請求項１に記載の無線通信装置。
【請求項４】
第２情報提供装置から上記アクセスポイントの無線接続情報を取得する第２情報取得部を備え、
上記接続処理部は、取得した上記無線接続情報を用いて、上記アクセスポイントと上記無線通信装置との無線通信の接続を確立することを特徴とする請求項２に記載の無線通信装置。
【請求項５】
上記第２情報取得部は、上記接続部に上記第２情報提供装置が接続された場合に、上記第２情報提供装置から上記無線接続情報を取得することを特徴とする請求項４に記載の無線通信装置。
【請求項６】
上記第２情報提供装置は、上記無線接続情報を無線送信する機能を備え、
上記第２情報取得部は、上記無線接続情報を受信することで、上記第２情報提供装置から上記無線接続情報を取得することを特徴とする請求項４に記載の無線通信装置。
【請求項７】
上記第２情報提供装置が、携帯電話であることを特徴とする請求項４に記載の無線通信装置。
【請求項８】
ネットワーク上のアクセスポイントと無線通信が可能な無線通信装置の制御方法であって、
上記無線通信装置は、上記アクセスポイントと上記無線通信装置との無線通信を可能にするための鍵情報を記憶する記憶部を備え、
第１情報提供装置から取得情報を取得する情報取得ステップと、
情報取得ステップで取得した取得情報が、上記記憶部から読み出した上記鍵情報と一致するか否かを判定する判定ステップと、
上記取得情報が上記鍵情報と一致すると判定した場合に、上記アクセスポイントと上記無線通信装置との無線通信の接続を確立する接続処理ステップと、を含んでいることを特徴とする無線通信装置の制御方法。
【発明の詳細な説明】
【技術分野】
【０００１】
本発明は、周辺のネットワーク上のアクセスポイントと無線通信が可能な無線通信装置およびその制御方法に関する。
【背景技術】
【０００２】
従来、無線ＬＡＮ（Local Area Network）のアクセスポイント（以下、単に「ＡＰ」という）に無線接続される無線通信装置として、イーサネットコンバータ（「イーサネット」は登録商標；以下、「イサコン」という）がある。イサコンは、有線によって電子機器に接続されることで、電子機器をＡＰによる無線ネットワーク接続ができる状態にすることができる。このようなイサコンを含む無線接続システムが、特許文献１に開示されている。この無線接続システムは、携帯電話、イサコン、ＳＴＢ（セットトップボックス）、およびＡＰから構成されており、第三者の携帯電話をイサコンのＵＩ（User Interface）として利用し、ＡＰとの無線接続を確立することが可能となっている。
【先行技術文献】
【特許文献】
【０００３】
【特許文献１】特開２０１５−６１１００号公報（２０１５年３月３０日公開）
【発明の概要】
【発明が解決しようとする課題】
【０００４】
しかしながら、上記特許文献１に記載の無線接続システムでは、イサコン単独でＡＰとの無線接続を確立することができるので、イサコンが盗まれた場合、第三者がそのイサコンを利用して勝手にＡＰとの無線通信を確立する可能性があるという問題点がある。
【０００５】
本発明は、上記の問題点に鑑みてなされたものであり、その目的は、無線通信装置単独でＡＰとの無線接続を確立できないようにすることができる無線通信装置を実現することにある。
【課題を解決するための手段】
【０００６】
上記の課題を解決するために、本発明の一態様に係る無線通信装置は、ネットワーク上のアクセスポイントと無線通信が可能な無線通信装置であって、上記アクセスポイントと上記無線通信装置との無線通信を可能にするための鍵情報を記憶する記憶部と、第１情報提供装置から取得情報を取得する第１情報取得部と、上記第１情報取得部が取得した取得情報が、上記記憶部から読み出した上記鍵情報と一致するか否かを判定する判定部と、上記取得情報が上記鍵情報と一致すると判定された場合に、上記アクセスポイントと上記無線通信装置との無線通信の接続を確立する接続処理部と、を備えていることを特徴としている。
【発明の効果】
【０００７】
本発明の一態様によれば、無線通信装置単独でＡＰとの無線接続を確立できないようにすることができるという効果を奏する。
【図面の簡単な説明】
【０００８】
【図１】本発明の実施の一形態に係る子機の構成を示すブロック図である。
【図２】本発明の実施形態１に係る無線通信システムの概要構成を示す図である。
【図３】上記実施形態１に係る無線通信システムにおける状態の遷移を示す状態遷移図である。
【図４】本発明の実施形態２に係る無線通信システムの概要構成を示す図である。
【図５】上記実施形態２に係る無線通信システムにおける状態の遷移を示す状態遷移図である。
【図６】本発明の実施形態３に係る無線通信システムの概要構成を示す図である。
【図７】本発明の実施形態４に係る無線通信システムの概要構成を示す図である。
【発明を実施するための形態】
【０００９】
本発明の実施の形態について図１〜図７に基づいて説明すれば、次の通りである。以下、説明の便宜上、特定の項目にて説明した構成と同一の機能を有する構成については、同一の符号を付記し、その説明を省略する場合がある。
【００１０】
〔実施形態１〕
図１〜３に基づき、本発明の実施形態１に係る無線通信システム１０１０について説明する。まず、図２に基づいて無線通信システム１０１０の概要構成について説明する。図２は、無線通信システム１０１０の概要構成を示す図である。同図に示すように、無線通信システム１０１０は、子機（無線通信装置）２００およびドングル（第１情報提供装置）２０１、および周辺のネットワーク上に設置されたアクセスポイント１００から構成される。
【００１１】
子機２００は、例えば、無線ＬＡＮ（Local Area Network）子機の一形態である無線ＬＡＮイーサネットコンバータ（以下、「イサコン」という）であり、有線ＬＡＮ対応の機器を無線で通信できるようにする無線／有線の変換装置である。
【００１２】
ドングル２０１は、情報を提供することが可能な情報提供装置の一形態であり、ドングル２０１が子機２００と対応付けられていることを示す（認証する）固有のＩＤ（Identification；取得情報）を記憶している。
【００１３】
なお、子機２００とドングル２０１との対応関係は、一対一でも良く、多対一でも一対多でも良い。すなわち、複数の子機を一台のドングルで対応できるようにしても良いし、子機を複数台のドングルで対応できるようにしても良い。
【００１４】
アクセスポイント１００は、無線ＬＡＮ用の中継器であり、子機２００の周辺のネットワーク上に設置されているものとする。
【００１５】
子機２００に、ドングル２０１を接続すると、子機２００は、ドングル２０１から、ＩＤを読み出し、このＩＤが、子機２００に記憶されている鍵情報と一致する場合、子機２００と一対のドングル２０１（対応付けられたドングル２０１）であるとみなし、周辺のネットワーク上でサーチされたアクセスポイント１００と子機２００との無線通信の接続の確率が行われる。その後、子機２００からドングル２０１が取り外されるが、状態は変化しない。
【００１６】
（実際の応用例）
無線通信システム１０１０は、例えば、農業用など屋外設置型のＩＯＴ（Internet of Things）センサーデバイス（子機２００側）とゲートウェイデバイス（アクセスポイント１００側）のＷｉＦｉ（登録商標）接続手段として応用できる。これらのデバイスは、農耕地に設置されることから、第三者の出入りを制限できない屋外に設置される可能性が高い。農業用ＩＯＴセンサーデバイスは、現在普及しているとは言えないが、将来的にホームセンター等で技術的な知識が無くても気軽に購入できるようになる可能性がある。
【００１７】
農業用ＩＯＴセンサーデバイスは、農耕地が増えたり、農作物の違いによって変化したりすることもありシステム購入後も増減がありえる。よって、センサーデバイス、ゲートウェイデバイスの盗用防止と、簡単操作での無線接続手段を提供することができる。
【００１８】
（子機２００）
次に、図１に基づき、子機２００の構成について説明する。図１は、子機２００の構成を示すブロック図である。同図に示すように、子機２００は、ＣＰＵ１０、不揮発メモリ（記憶部）２０、揮発メモリ３０、外部機器Ｉ／Ｆ制御部４０、外部機器Ｉ／Ｆ（接続部）５０、無線制御部６０、および無線部７０を備える。
【００１９】
子機２００は、周辺のネットワーク上のアクセスポイント１００と無線通信が可能な無線通信装置である。ＣＰＵ１０は、子機２００の各制御ブロックを制御するための中央演算装置である。
【００２０】
不揮発メモリ２０には、ドングル２０１内のＩＤと対応付けられた鍵情報や、子機２００の動作を制御する制御プログラムが記憶されている。鍵情報は、アクセスポイント１００と子機２００との無線通信を可能にするための固有の情報である。
【００２１】
本実施形態では、揮発メモリ３０には、接続先のアクセスポイント１００のＳＳＩＤ（識別子）や、（接続）パスワード（ＷＥＰキー等）が予め記憶されており、上記の制御プログラムのワークメモリとしての機能を有する。
【００２２】
外部機器Ｉ／Ｆ制御部４０は、ドングル２０１と接続するための外部機器Ｉ／Ｆ５０とＣＰＵ１０との変換回路である。外部機器Ｉ／Ｆ５０は、ドングル２０１を接続するためのコネクタ等の物理的なインターフェースである。
【００２３】
無線制御部６０は、ＷｉＦｉ等の無線部７０の制御回路である。無線部７０は、ＷｉＦｉ等の無線アナログ回路である。
【００２４】
次に、図１に示すように、ＣＰＵ１０は、鍵情報取得部（第１情報取得部）１１、判定部１２、ネットワークサーチ部（サーチ部）１３、無線接続処理部（接続処理部、第２情報取得部）１４を備える。
【００２５】
鍵情報取得部１１は、外部機器Ｉ／Ｆ５０にドングル２０１が接続された場合に、ドングル２０１からＩＤを取得する処理を行う。
【００２６】
判定部１２は、ドングル２０１から取得したＩＤが、不揮発メモリ２０から読み出した鍵情報と一致するか否かを判定する処理を行う。
【００２７】
ネットワークサーチ部１３は、判定部１２にて、ＩＤが鍵情報と一致すると判定された場合に、ネットワーク上のアクセスポイントをサーチする処理を行う。
【００２８】
無線接続処理部１４は、揮発メモリ３０に記憶されたＳＳＩＤ（Service Set Identifier；識別子）およびパスワードを用いて、ネットワークサーチ部１３によってサーチされたアクセスポイント１００と子機２００との無線通信の接続を確立する処理を行う。以上によれば、外部機器Ｉ／Ｆ５０にドングル２０１が接続されたことをトリガーとして、ネットワーク上のアクセスポイントがサーチされ、サーチされたアクセスポイント１００と子機２００との無線通信の接続が確立される。
【００２９】
次に、図３に基づき無線通信システム１０１０の状態の遷移について説明する。図３は、無線通信システム１０１０における状態の遷移を示す状態遷移図である。
【００３０】
ステップＳ（以下、「ステップ」は省略する）１０は、子機２００のシステムが電気的にもソフト的にも起動して、待機している状態である。子機２００の外部機器Ｉ／Ｆ５０にドングル２０１が接続されると、鍵情報取得部１１は、ドングル２０１からのＩＤを読み出して、不揮発メモリ２０に記憶されている鍵情報と比較する。
【００３１】
次に、Ｓ１１では、判定部１２がＩＤと鍵情報とが一致していると判定した場合、ネットワークサーチ部１３が、周辺ネットワーク上のアクセスポイントをサーチする。
【００３２】
次に、Ｓ１２では、ネットワーク上に、無線接続処理部１４は、揮発メモリ３０に記憶されているＳＳＩＤ（無線接続情報）とパスワード（無線接続情報）とを読出しと該当するアクセスポイントがあれば、無線通信接続を開始する（無線通信の接続を確立する）。ここでは、ネットワーク上に、該当するアクセスポイント１００が存在しているものとする。
【００３３】
次に、Ｓ１３では、子機２００とアクセスポイント１００との無線通信の接続が確立された後は、ドングル２０１を抜き取っても、状態は変化しない。
【００３４】
（無線通信システム１０１０の効果）
無線通信システム１０１０によれば、ネットワーク上のアクセスポイント１００と子機２００との無線通信の接続を確立するためには、ドングル２０１から取得したＩＤが不揮発メモリ２０から読み出した鍵情報と一致することが前提となっている。このため、アクセスポイント１００と子機２００との無線通信の接続を確立するためには、子機２００それ自体とドングル２０１との両方が必要であるため、例え子機２００が盗難に遭っても、ドングル２０１も一緒に盗まれない限り、第三者はその子機２００を利用してアクセスポイントとの通信を確立することはできない。すなわち、上記構成によれば、子機２００単独でアクセスポイントとの無線接続を確立できないようにすることができる。
【００３５】
〔変形例〕
上記の実施形態では、子機２００とドングル２０１の対応関係について一対一としているが、複数の子機とドングル１台、もしくは、子機１台に対して複数のドングルを対応させることも可能である。
【００３６】
（１）複数の子機２００に対して、１台のドングル２０１を対応させる場合
例えば、広域に複数の子機を設置するような場合、ドングル２０１も同数あると管理面でも煩雑になる。単純に、子機２００とドングル２０１とをセットとし、子機２００とドングル２０１とのペアを複数提供する場合も考えられるが、一つのドングル２０１で異なるＩＤを持つ複数の子機２００を管理してもよい。その場合には、例えば以下の手順で、１つの子機２００αに、別のＩＤを持つ子機２００βに紐づけられたドングル２０１β用の鍵情報を格納する。
【００３７】
（手順１）      
（イ）子機２００αに、ドングル２０１αを接続する。この手順によって、子機２００αは、別のドングル２０１βとも紐付け可能な状態となる。
（ロ）ドングル２０１αを取り外す。このとき、子機２００αは、一定の時間の間、無線通信接続を行わず、次のユーザ操作を待ちうける状態となる。
（ハ）上記一定の時間の間に、ユーザは子機２００αに別のドングル２０１βを接続する。子機２００αは、ドングル２０１βのＩＤを読み込み、子機２００αの不揮発メモリから読み出した鍵情報と異なることを検出した後、ドングル２０１β用の鍵情報を生成して、子機２００αの不揮発メモリに格納する。その結果、子機２００αの不揮発メモリには、ドングル２０１αとドングル２０１βとのそれぞれに対応する鍵情報が記録されることになる。これにより、子機２００αは、ドングル２０１αでもドングル２０１βでも、無線接続通信接続を行うことができる。
（ニ）一方、上記一定の時間の間に、手順（ハ）が実施されない場合、子機２００αは、アクセスポイントと無線接続通信を行う。
（ホ）手順（イ）〜（ニ）を、さらに別の複数の子機に対して、１台のドングルで順次実施する。
【００３８】
（２）１台の子機２００に対して、複数のドングル２０１を対応させる場合  
例えば、ドアのカギを複数用意するのと同様の使い方を提供する。仕組みは上記（１）で説明した仕組みと同様である。
【００３９】
（手順２）
上記手順１の手順（イ）〜（ニ）を、１台の子機に対して、複数のドングルで実施する。
【００４０】
〔実施形態２〕
次に、図４および図５に基づき、本発明の実施形態２に係る無線通信システム１０２０について説明する。図４は、無線通信システム１０２０の概要構成を示す図である。
【００４１】
本実施形態の無線通信システム１０２０は、ドングル２０１に簡単接続ボタン２０２が設けられており、もう１台のアクセスポイント用のドングル（第２情報提供装置）１０１を備えている点で、実施形態１の無線通信システム１０１０と異なっている。ドングル１０１には、アクセスポイント１００のＳＳＩＤ（無線接続情報）とパスワード（無線接続情報）とが記憶されている。
【００４２】
本実施形態では、子機２００の無線接続処理部（接続処理部，第２情報取得部）１４が（図１参照）、外部機器Ｉ／Ｆ５０にドングル１０１が接続された場合に、ドングル２０１からアクセスポイント１００のＳＳＩＤとパスワードとを取得して、揮発メモリ３０に記憶させる点で、実施形態１と異なっている。すなわち、本実施形態では、デフォルトの状態では、子機２００の揮発メモリ３０には、アクセスポイント１００のＳＳＩＤとパスワードとが予め記憶されていない。
【００４３】
子機２００の外部機器Ｉ／Ｆ５０にアクセスポイント用のドングル１０１が接続されると、無線接続処理部１４は、ドングル１０１に保持されているアクセスポイント１００のＳＳＩＤとパスワードを読み込み、揮発メモリ３０に記憶させる。
【００４４】
次に、ドングル１０１を子機２００の外部機器Ｉ／Ｆ５０から抜き取り、外部機器Ｉ／Ｆ５０に認証用のドングル２０１を接続し、簡単接続ボタン２０２を押す。
【００４５】
子機２００は、ドングル２０１から、ＩＤを読み出し、子機２００と一対のドングル２０１であれば、上記で読み込んだアクセスポイント１００のＳＳＩＤとパスワードとを使用してアクセスポイント１００に、無線通信接続を行う（無線通信の接続を確立する）。
【００４６】
その後、子機２００の外部機器Ｉ／Ｆ５０からドングル２０１が取り外されるが、状態は変化しない。上記構成によれば、外部機器Ｉ／Ｆ５０にドングル１０１が接続されることで、ＳＳＩＤとパスワードを用いたアクセスポイント１００と子機２００との無線通信の接続が可能になる。
【００４７】
本実施形態では、子機２００に対して、アクセスポイント１００のＳＳＩＤとパスワードとを登録する手順を簡略化している。ドングル１０１は、アクセスポイント１００とペアであり、パスワードはドングル１０１のみに保存されておりユーザも内容を確認することはできない。また、アクセスポイント１００から、パスワードを取得する機能を具備しない。また、無線通信接続開始の手順を明確化するために、簡単接続ボタン２０２を追加している。なお、簡単接続ボタン２０２は、子機２００に具備させても良い。また、本実施形態では、認証用のドングル２０１と、アクセスポイント１００のＳＳＩＤおよびパスワード記憶用のドングル１０１を別体の装置として構成したが、これらのドングルの機能を１台のドングルが備えた形態を採用しても良い。
【００４８】
次に、図５に基づき無線通信システム１０２０の状態の遷移について説明する。図５は、無線通信システム１０２０における状態の遷移を示す状態遷移図である。
【００４９】
Ｓ２０は、子機２００のシステムが電気的にもソフト的にも起動して、待機している状態である。ドングル１０１を、子機２００の外部機器Ｉ／Ｆ５０に接続すると、無線接続処理部１４が、アクセスポイント１００のＳＳＩＤとパスワード（ＷＥＰキー情報等）を揮発メモリ３０に保存させる。次に、外部機器Ｉ／Ｆ５０にドングル２０１を接続すると、ドングル２０１からＩＤを読み出して、不揮発メモリ２０に記憶されている鍵情報と比較する。
【００５０】
Ｓ１１では、判定部１２がＩＤと鍵情報とが一致していると判定した場合、ネットワークサーチ部１３が、無線制御部６０および無線部７０を起動し、周辺のネットワーク上のアクセスポイントをサーチする。
【００５１】
次に、簡単接続ボタン２０２を押すと、ネットワーク上に、揮発メモリ３０に記憶されているＳＳＩＤと該当するアクセスポイント（例えば、アクセスポイント１００）が存在していれば、無線接続処理部１４が、無線通信接続を開始する（無線通信の接続を確立する）。
【００５２】
次に、Ｓ１３では、子機２００とアクセスポイント１００との無線通信の接続が確立された後は、ドングル２０１を抜き取っても、状態は変化しない。
【００５３】
〔実施形態３〕
次に、図６に基づき、本発明の実施形態３に係る無線通信システム１０３０について説明する。図６は、無線通信システム１０２０の概要構成を示す図である。
【００５４】
本実施形態では、実施形態２のドングル１０１およびドングル２０１の両方を、ＩＲリモコン（第２情報提供装置）１０１ａおよびＩＲリモコン（第１情報提供装置）２０１ａに置換している点で、上述した形態と異なっている。ＩＲリモコン１０１ａおよびＩＲリモコン２０１ａのそれぞれは、子機２００と赤外線通信を行う機能を有するＩＲＤＡ（Infrared Data Association ）リモコンである。これにより、手の届きにくい場所に設置した子機２００に対して、設置後の再接続を容易に行える。同様にＩＲリモコンをＮＦＣ（Near Field Communication）で代用してもよいが、当然、手の届く範囲しか操作できない。
【００５５】
ＩＲリモコン１０１ａは、アクセスポイント１００のＳＳＩＤ（無線接続情報）およびパスワード（無線接続情報）をリモコン信号として無線送信する機能を備えている。ＩＲリモコン１０１ａは、認証用のＩＤをリモコン信号として無線送信する機能を備えている。
【００５６】
なお、本実施形態では、実施形態２のドングル１０１およびドングル２０１の両方をＩＲリモコンで置換した形態となっているが、実施形態２のドングル１０１およびドングル２０１のどちらか一方のみをＩＲリモコンで置換した形態を採用することもできる。
【００５７】
子機２００に、アクセスポイント用のＩＲリモコン１０１ａを向けて、簡単接続ボタン１０２ａを押すと、子機２００の無線接続処理部（第２情報取得部）１４は、ＩＲＤＡ経由で、ＩＲリモコン１０１ａに保持されているアクセスポイント１００のＳＳＩＤとパスワードとをリモコン信号として受信し、揮発メモリ３０に記憶させる。
【００５８】
次に、子機２００に、ＩＲリモコン２０１ａを向けて、簡単接続ボタン２０２ａを押すと、子機２００の鍵情報取得部１１は、ＩＲＤＡ経由で子機２００と一対のＩＤと、無線通信接続要求を受信する。上記構成によれば、ＩＤがリモコン信号として受信されることをトリガーとして、アクセスポイント１００と子機２００との無線通信の接続が確立される。
【００５９】
子機２００は、判定部１２が、受信したＩＤが不揮発メモリ２０に記憶されている鍵情報と一致すると判定した場合、無線接続処理部１４は、上記で読み込んだアクセスポイント１００のＳＳＩＤおよびパスワードを使用してアクセスポイント１００に、無線通信接続を行う（無線通信の接続の確立を行う）。
【００６０】
〔実施形態４〕
次に、図７に基づき、本発明の実施形態４に係る無線通信システム１０４０について説明する。図７は、無線通信システム１０３０の概要構成を示す図である。
【００６１】
本実施形態では、実施形態２のドングル１０１が携帯電話（第２情報提供装置）３０１に置換されている点で、実施形態２と異なっている。
【００６２】
子機２００に、認証用のドングル２０１を接続すると、子機２００は、ドングル２０１から、ＩＤを読み出し、このＩＤが、子機２００に記憶されている鍵情報と一致する場合、子機２００と一対のドングル２０１（対応付けられたドングル２０１）であるとみなし、外部機器Ｉ／Ｆ制御部４０がＷＰＳ（Wi-Fi Protected Setup）機能を起動するようになっている。
【００６３】
次に、携帯電話３０１から、ＷＰＳ機能により子機２００と外部機器Ｉ／Ｆ５０を介して無線ＬＡＮ接続する。
【００６４】
携帯電話３０１の画面に、子機２００から見えるアクセスポイント１００の情報を表示し、ユーザは所望のアクセスポイント１００を選択すれば、子機２００をアクセスポイント１００に接続することができる。その後、ドングル２０１が取り外されるが、状態は変化しない。
【００６５】
本実施形態では、子機２００をアクセスポイント１００に接続するタイミングを携帯電話３０１でコントロールすることができる。この場合、子機２００やドングル１０１に無線通信接続のトリガーの機能を具備させる必要が無くなる。本実施形態によれば、複数のアクセスポイントから、所望のアクセスポイントを選択することができる。また、屋外の場合であってアクセスポイントが見つからない場合、電波状態を考慮しながら、レイアウトすることが可能となる。
【００６６】
〔まとめ〕
本発明の態様１に係る無線通信装置は、ネットワーク上のアクセスポイントと無線通信が可能な無線通信装置であって、上記アクセスポイントと上記無線通信装置との無線通信を可能にするための鍵情報を記憶する記憶部と、第１情報提供装置から取得情報を取得する第１情報取得部と、上記第１情報取得部が取得した取得情報が、上記記憶部から読み出した上記鍵情報と一致するか否かを判定する判定部と、上記取得情報が上記鍵情報と一致すると判定された場合に、上記アクセスポイントと上記無線通信装置との無線通信の接続を確立する接続処理部と、を備えている構成である。
【００６７】
上記構成によれば、ネットワーク上のアクセスポイント（以下、ＡＰという）と無線通信装置との無線通信の接続を確立するためには、第１情報提供装置から取得した取得情報が記憶部から読み出した鍵情報と一致することが前提となっている。このため、ＡＰと無線通信装置との無線通信の接続を確立するためには、無線通信装置それ自体と第１情報提供装置との両方が必要であるため、例え無線通信装置が盗難に遭っても、第１情報提供装置も一緒に盗まれない限り、第三者はその無線通信装置を利用してＡＰとの通信を確立することはできない。すなわち、上記構成によれば、無線通信装置単独でＡＰとの無線接続を確立できないようにすることができる。
【００６８】
本発明の態様２に係る無線通信装置は、上記態様１において、上記第１情報提供装置が接続される接続部を備え、上記第１情報取得部は、上記接続部に上記第１情報提供装置が接続された場合に、上記第１情報提供装置から上記取得情報を取得しても良い。
【００６９】
上記構成によれば、接続部に第１情報提供装置が接続されたことをトリガーとして、ＡＰと無線通信装置との無線通信の接続が確立される。
【００７０】
本発明の態様３に係る無線通信装置は、上記態様１において、上記第１情報提供装置は、上記取得情報を無線送信する機能を備え、上記第１情報取得部は、上記取得情報を受信することで、上記第１情報提供装置から上記取得情報を取得しても良い。
【００７１】
上記構成によれば、取得情報が受信されることをトリガーとして、ＡＰと無線通信装置との無線通信の接続が確立される。
【００７２】
本発明の態様４に係る無線通信装置は、上記態様２において、第２情報提供装置から上記アクセスポイントの無線接続情報を取得する第２情報取得部を備え、上記接続処理部は、取得した上記無線接続情報を用いて、上記アクセスポイントと上記無線通信装置との無線通信の接続を確立しても良い。
【００７３】
上記構成によれば、第２情報提供装置から取得した無線接続情報を用いてアクセスポイントと無線通信装置との無線通信の接続を確立することができる。
【００７４】
本発明の態様５に係る無線通信装置は、上記態様４において、上記第２情報取得部は、上記接続部に上記第２情報提供装置が接続された場合に、上記第２情報提供装置から上記無線接続情報を取得しても良い。
【００７５】
上記構成によれば、接続部に第２情報提供装置が接続されることで、無線接続情報を用いたアクセスポイントと無線通信装置との無線通信の接続が可能になる。
【００７６】
本発明の態様６に係る無線通信装置は、上記態様４において、上記第２情報提供装置は、上記無線接続情報を無線送信する機能を備え、上記第２情報取得部は、上記無線接続情報を受信することで、上記第２情報提供装置から上記無線接続情報を取得しても良い。
【００７７】
上記構成によれば、無線接続情報を受信すれば、無線接続情報を用いたアクセスポイントと無線通信装置との無線通信の接続が可能になる。
【００７８】
本発明の態様７に係る無線通信装置は、上記態様４において、上記第２情報提供装置が、携帯電話であっても良い。
【００７９】
上記構成によれば、無線通信装置をアクセスポイントに接続するタイミングを携帯電話でコントロールすることができる。
【００８０】
本発明の態様８に係る無線通信装置の制御方法は、ネットワーク上のアクセスポイントと無線通信が可能な無線通信装置の制御方法であって、上記無線通信装置は、上記アクセスポイントと上記無線通信装置との無線通信を可能にするための鍵情報を記憶する記憶部を備え、第１情報提供装置から取得情報を取得する情報取得ステップと、情報取得ステップで取得した取得情報が、上記記憶部から読み出した上記鍵情報と一致するか否かを判定する判定ステップと、上記取得情報が上記鍵情報と一致すると判定した場合に、上記アクセスポイントと上記無線通信装置との無線通信の接続を確立する接続処理ステップと、を含んでいる方法である。
【００８１】
上記方法によれば、上記態様１と同様の効果を得ることができる。
【００８２】
〔付記事項〕
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【００８３】
１１  鍵情報取得部（第１情報取得部）  １２  判定部
１３  ネットワークサーチ部（サーチ部）
１４  無線接続処理部（接続処理部、第２情報取得部）
２０  不揮発メモリ（記憶部）  ５０  外部機器Ｉ／Ｆ（接続部）
１００  アクセスポイント  １０１  ドングル（第２情報提供装置）
１０１ａ  ＩＲリモコン（第２情報提供装置）  ２００  子機（無線通信装置）
２０１    ドングル（第１情報提供装置）
２０１ａ  ＩＲリモコン（第１情報提供装置）  ３０１  携帯電話（第２情報提供装置）
【図１】
2017183941.tif 000003
【図２】
2017183941.tif 000004
【図３】
2017183941.tif 000005
【図４】
2017183941.tif 000006
【図５】
2017183941.tif 000007
【図６】
2017183941.tif 000008
【図７】
2017183941.tif 000009